(57)【要約】【課題】化粧板の基板が、木口を形成する面の装飾が必要な厚さの厚物基板であっても、化粧板の木口を形成する面に化粧シートを貼り付けて装飾することが可能な、化粧板及び化粧板の製造方法を提供する。【解決手段】基板２と、基板２の全面に貼り合わせた化粧シート４を備える化粧板１において、基板２が、表面に凹凸部１４を有する第一基板構成部材６と、表面が第一基板構成部材６の裏面に取り付けられた第二基板構成部材８と、表面が第二基板構成部材８の裏面に取り付けられた第三基板構成部材１０を備え、第二基板構成部材８の厚さＴ２は、第一基板構成部材６の最大厚さＴ１及び第三基板構成部材１０の厚さＴ３よりも大きい。【選択図】図１
2017164941.tif 000002
【特許請求の範囲】
【請求項１】
基板と、前記基板の全面に貼り合わせた化粧シートと、を備え、
前記基板は、表面に凹凸部を有する板状の部材である第一基板構成部材と、表面が前記第一基板構成部材の裏面に取り付けられた板状の部材である第二基板構成部材と、表面が前記第二基板構成部材の裏面に取り付けられた板状の部材である第三基板構成部材と、を備え、
前記第二基板構成部材の厚さは、前記第一基板構成部材の最大厚さ及び前記第三基板構成部材の厚さよりも大きいことを特徴とする化粧板。
【請求項２】
前記基板は、前記第三基板構成部材の裏面に貼り付けられ、且つ防湿性を有する防湿シートをさらに備えることを特徴とする請求項１に記載した化粧板。
【請求項３】
前記防湿シートは、二枚の紙基材と、前記二枚の紙基材の間に配置された層状の防湿樹脂素材と、を備えることを特徴とする請求項２に記載した化粧板。
【請求項４】
前記第一基板構成部材の最大厚さと前記第三基板構成部材の厚さが等しいことを特徴とする請求項１から３のいずれか１項に記載した化粧板。
【請求項５】
プレス加工で形成した凹凸部を表面に有する第一基板構成部材と、表面が前記第一基板構成部材の裏面と対向する第三基板構成部材と、により前記第一基板構成部材及び前記第三基板構成部材よりも厚さが大きい第二基板構成部材を挟んでプレス加工して形成した基板に、化粧シートを三次元真空成型で貼り合わせて化粧板を製造することを特徴とする化粧板の製造方法。
【請求項６】
前記第三基板構成部材の裏面に、防湿性を有する防湿シートを貼り合わせた後に、前記第一基板構成部材と前記第三基板構成部材とにより前記第二基板構成部材を挟んでプレス加工して前記基板を形成することを特徴とする請求項５に記載した化粧板の製造方法。
【請求項７】
二枚の紙基材の間に層状の防湿樹脂素材を配置して、前記防湿シートを形成することを特徴とする請求項６に記載した化粧板の製造方法。
【発明の詳細な説明】
【技術分野】
【０００１】
本発明は、基板の全面に化粧シートを貼り合わせて形成された化粧板と、化粧板の製造方法に関する。
【背景技術】
【０００２】
従来、化粧板としては、例えば、特許文献１に記載の技術がある。
特許文献１に記載の技術では、化粧シートを、表面に凹凸を有するエンボスロールと加圧ロールとの間を通過させ、化粧シートに凹凸模様を形成している。これにより、化粧シートの絵柄による意匠性に、凹凸模様によるエンボス意匠を付加し、化粧板の意匠性の向上を図っている。
【先行技術文献】
【特許文献】
【０００３】
【特許文献１】特開２０１１−２０１１３７号公報
【発明の概要】
【発明が解決しようとする課題】
【０００４】
しかしながら、特許文献１に記載の技術では、エンボスロールと加圧ロールとによって凹凸模様を形成するため、化粧板の基板が厚さの大きい厚物基板である場合には、以下に示す課題が発生する。
すなわち、凹凸模様を形成した化粧シート（エンボスシート）は、ラミネートの際に、プレスによって凹凸が薄れる（小さくなる）ため、化粧板の木口（切り口）を形成する面に貼ることが可能である。一方、型押しにより形成した化粧版は、エンボスシートよりも凹凸が大きい（濃い）ため、意匠性に優れているものの、凹凸が大きいことで、化粧板の木口を形成する面に化粧シートを貼り付けて装飾することが困難であった。
【０００５】
本発明は、上記のような点に着目したもので、化粧板の基板が、木口を形成する面の装飾が必要な厚さの厚物基板であっても、化粧板の木口を形成する面に化粧シートを貼り付けて装飾することが可能な、化粧板及び化粧板の製造方法を提供することを目的としている。
【課題を解決するための手段】
【０００６】
上記課題を解決するために、本発明の一態様は、基板と、基板の全面に貼り合わせた化粧シートを備える化粧板である。また、基板は、表面に凹凸部を有する第一基板構成部材と、表面が第一基板構成部材の裏面に取り付けられた第二基板構成部材と、表面が第二基板構成部材の裏面に取り付けられた第三基板構成部材を備える。さらに、第二基板構成部材の厚さは、第一基板構成部材の最大厚さ及び第三基板構成部材の厚さよりも大きい。
【発明の効果】
【０００７】
本発明の一態様によれば、化粧板の基板が、木口を形成する面の装飾が必要な厚さの厚物基板であっても、化粧板の木口を形成する面に化粧シートを貼り付けて装飾することが可能な、化粧板及び化粧板の製造方法を提供することが可能となる。
【図面の簡単な説明】
【０００８】
【図１】本発明の第一実施形態の化粧板を表す斜視図である。
【図２】本発明の第一実施形態の化粧板の製造方法を説明する説明図である。
【発明を実施するための形態】
【０００９】
以下の詳細な説明では、本発明の実施形態について、完全な理解を提供するように、特定の細部について記載する。しかしながら、かかる特定の細部が無くとも、一つ以上の実施形態が実施可能であることは明確である。また、図面を簡潔なものとするために、周知の構造及び装置を、略図で表す場合がある。
（第一実施形態）
以下、本発明の第一実施形態について、図面を参照しつつ説明する。
【００１０】
（構成）
図１を参照して、化粧板１の構成について説明する。
図１中に表すように、化粧板１は、基板２の全面に、三次元真空成型で化粧シート４を貼り付けて形成されている。すなわち、化粧板１は、基板２と、化粧シート４を備えている。
【００１１】
（基板）
基板２は、第一基板構成部材６と、第二基板構成部材８と、第三基板構成部材１０と、防湿シート１２を備えている。
また、基板２は、第一基板構成部材６の裏面（図１中では、第一基板構成部材６の下側の面。第一基板構成部材６の第二基板構成部材８と対向する面。）に第二基板構成部材８の表面を取り付け、さらに、第二基板構成部材８の裏面（図１中では、第二基板構成部材８の下側の面）に第三基板構成部材１０の表面を取り付けて形成されている。
【００１２】
すなわち、基板２は、第三基板構成部材１０、第二基板構成部材８、第一基板構成部材６を、順番に積層した構成となるように形成されている。
防湿シート１２は、第三基板構成部材１０の裏面（図１中では、第三基板構成部材１０の下側の面）に貼り付けられている。
【００１３】
（第一基板構成部材）
第一基板構成部材６は、基板２の上面（図１中では、基板２の上側の面）を形成する板状の部材である。
また、第一基板構成部材６は、例えば、木質系の板材を用いて形成されている。
木質系の板材としては、例えば、ＭＤＦ（Ｍｅｄｉｕｍ  Ｄｅｎｓｉｔｙ  Ｆｉｂｅｒｂｏａｒｄ）、合板、パーチクルボード等を用いることが可能である。
【００１４】
また、第一基板構成部材６は、表面（図１中では、第一基板構成部材６の上側の面）に、凹凸部１４を有している。
凹凸部１４は、第一基板構成部材６の一方の面に、例えば、熱圧プレス機（図示せず）のプレス型を押し当てるプレス加工を用いて形成されている。なお、プレス型は、凹凸部１４を形成するための部材であり、アルミや鉄、銅等の金属製のメス型である。
【００１５】
また、凹凸部１４の凹凸の深さ、すなわち、凹部１４ａの底面から凸部１４ｂの上面までの、第一基板構成部材６の厚さ方向に沿った距離は、例えば、０．１［ｍｍ］以上２．０［ｍｍ］以下の範囲内とする。
第一実施形態では、凹凸部１４の構成を、図１中に表すように、第一基板構成部材６の一方の面を構成する四つの辺のうち、対向する二つの辺同士を連結する凸部を有する構成とした場合について説明する。
【００１６】
（第二基板構成部材）
第二基板構成部材８は、第一基板構成部材６と第三基板構成部材１０との間へ挟まれた板状の部材であり、基板２の芯材を形成している。
また、第二基板構成部材８は、第一基板構成部材６と同様、例えば、木質系の板材を用いて形成されている。
【００１７】
第二基板構成部材８の厚さＴ２（第二基板構成部材８の、第一基板構成部材６、第二基板構成部材８、第三基板構成部材１０を積層した方向に沿った長さ）は、第一基板構成部材６の最大厚さＴ１よりも大きい。なお、第一基板構成部材６の最大厚さＴ１とは、第一基板構成部材６の他方の面（図１中では、第一基板構成部材６の下側の面、第一基板構成部材６の第二基板構成部材８と対向する面）から、凸部１４ｂの上面までの、第一基板構成部材６の厚さ方向に沿った距離とする。
【００１８】
（第三基板構成部材）
第三基板構成部材１０は、基板２の下面（図１中では、基板２の下側の面）を形成する板状の部材である。
また、第三基板構成部材１０は、第一基板構成部材６と同様、例えば、木質系の板材を用いて形成されている。
第三基板構成部材１０の厚さＴ３は、第一基板構成部材６の最大厚さＴ１と等しい。
したがって、第一基板構成部材６の最大厚さＴ１と、第二基板構成部材８の厚さＴ２と、第三基板構成部材１０の厚さＴ３との間には、Ｔ１＝Ｔ３＜Ｔ２の関係式が成立している。
【００１９】
（防湿シート１２）
防湿シート１２は、防湿性を有するシート状の部材である。
ここで、防湿性とは、水蒸気（湿気）を通しにくい性質である。
また、防湿シート１２は、例えば、二枚の紙基材（図示せず）と、防湿樹脂素材（図示せず）を備える防湿紙を用いることが可能である。
【００２０】
紙基材としては、例えば、セルロース繊維間に樹脂を含んでいる紙間強化紙を用いることが可能である。
【００２１】
紙基材に用いる紙間強化紙としては、例えば、セルロース繊維を５０質量％以上含むものが好ましい。また、紙間強化紙の厚さは、例えば、１５［μｍ］以上６０［μｍ］未満の範囲内とする。
防湿樹脂素材は、シート状の部材であり、水蒸気（湿気）を通さない防湿樹脂を用いて形成されている。
【００２２】
防湿樹脂素材を形成する防湿樹脂としては、例えば、融点が１００［℃］以上２００［℃］未満の範囲内である、オレフィン系樹脂等の熱可塑性樹脂を用いることが好ましい。
防湿樹脂素材の厚さは、例えば、１５［μｍ］以上７０［μｍ］未満の範囲内とする。
ここで、第三基板構成部材１０の裏面、すなわち、基板２の下面に防湿シート１２を備える構成とすることにより、防湿シート１２側から基板２側に水蒸気が通過することを防止することが可能となる。これにより、水蒸気による基板２の伸縮を防止することが可能となるため、基板２の反りや、膨張による変形を防止することが可能となる。
【００２３】
また、本実施形態では、防湿シート１２が、２枚の紙基材と、これらの間に配置された防湿樹脂素材とを備える。
このため、防湿シート１２に厚みとコシとを持たせることが可能となり、防湿シート１２がシワになり難く、また、防湿シート１２に発生するカールを抑制することが可能となる。これにより、基板２へ、防湿シート１２を比較的容易に貼り付けることが可能となる。
【００２４】
（化粧シート）
化粧シート４は、絵柄が付加されたシート状の部材である。
化粧シート４の材料としては、例えば、ＰＰ（ｐｏｌｙｐｒｏｐｙｌｅｎｅ）や、ＰＥ（ｐｏｌｙｅｔｈｙｌｅｎｅ）等のオレフィン系、ＰＥＴ系等のフィルムシート、コート紙等を用いることが可能である。
化粧シート４に付加する絵柄としては、例えば、木目、コルク、石目、タイル、焼き物、抽象柄等、化粧板１の設置位置に適した絵柄等を用いることが可能である。
【００２５】
（化粧板の製造方法）
以下、図１を参照しつつ、図２を用いて、第一実施形態の化粧板１の製造方法を説明する。
化粧板１の製造方法では、以下に記載する第一工程、第二工程、第三工程、第四工程、第五工程を、この順に実行する。
【００２６】
（第一工程：凹凸形成工程）
第一工程では、例えば、図２（ａ）中に表すように、第一基板構成部材６を熱圧プレス機（図示せず）にセットし、プレス型１６を用いて第一基板構成部材６に熱圧プレスを行う。これにより、第一基板構成部材６の表面にプレス型１６を押し当てて、図２（ｂ）中に表すように、第一基板構成部材６の表面へ、凹凸部１４を形成する。
熱圧プレスのプレス温度は、例えば、耐熱性、耐汚染性、耐候性、耐擦過性等を考慮して、１００［℃］以上１３０［℃］未満の範囲内とする。また、熱圧プレスのプレス圧は、例えば、０．８［ＭＰａ］以上１．５［ＭＰａ］未満の範囲内とする。さらに、熱圧プレスのプレス時間は、例えば、３０秒以上９０秒未満の範囲内とする。
【００２７】
（第二工程：貼り合わせ工程）
第二工程では、図２（ｃ）中に表すように、第三基板構成部材１０の裏面に、防湿シート１２を貼り合わせる。
第三基板構成部材１０と防湿シート１２との貼り合わせには、例えば、酢酸ビニル等の安価な接着剤を用いることが可能である。
【００２８】
（第三工程：積層プレス工程）
第三工程では、図２（ｄ）中に表すように、凹凸部１４を有する第一基板構成部材６と、防湿シート１２を貼り合わせた第三基板構成部材１０により、第二基板構成部材８を挟んでプレス加工する。
これにより、防湿シート１２と、第三基板構成部材１０、第二基板構成部材８、第一基板構成部材６とが、この順番で積層されたシート状の基板２を形成する。
【００２９】
（第四工程：基板成形工程）
第四工程では、第三工程で形成したシート状の基板２を、化粧板１として必要な長さに切断した後、切断した基板２に対し、四方面取り加工を行うことで、化粧板１の素材となる基板２を成形する。
【００３０】
（第五工程：真空成型工程）
第五工程では、図２（ｅ）中に表すように、第四工程で成形した基板２を、基板２側の面に接着剤等を塗布した化粧シート４で覆った状態で、真空チャンバ（図示せず）の中へ配置する。そして、真空チャンバ内を真空状態として、基板２の外面と化粧シート４とを密着させ、基板２の全面に、化粧シート４を貼り合わせる。すなわち、第五工程では、基板２の全面に、化粧シート４を三次元真空成型で貼り合わせて、化粧板１を製造する。
なお、上述した第一実施形態は、本発明の一例であり、本発明は、上述した第一実施形態に限定されることはなく、この実施形態以外の形態であっても、本発明に係る技術的思想を逸脱しない範囲であれば、設計等に応じて種々の変更が可能である。
【００３１】
（第一実施形態の効果）
第一実施形態の化粧板１であれば、以下に記載する効果を奏することが可能となる。
（１）基板２が、表面に凹凸部１４を有する第一基板構成部材６と、表面が第一基板構成部材６の裏面に取り付けられた第二基板構成部材８と、表面が第二基板構成部材８の裏面に取り付けられた第三基板構成部材１０を備える。これに加え、第二基板構成部材８の厚さＴ２が、第一基板構成部材６の最大厚さＴ１及び第三基板構成部材１０の厚さＴ３よりも大きい。
【００３２】
その結果、化粧板１の基板２が、木口を形成する面の装飾が必要な厚さの厚物基板であっても、化粧板１の木口を形成する面に化粧シート４を貼り付けて装飾することが可能な、化粧板１を提供することが可能となる。
また、厚さが大きい第二基板構成部材８を、第一基板構成部材６と第三基板構成部材１０で挟んで基板２を形成しているため、化粧板１の基板２が、木口を形成する面の装飾が必要な厚さの厚物基板であっても、化粧板１に発生する反りを抑制することが可能となる。これに加え、基板２の裏面（図１中における下側の面）を平坦な面とすることが可能となるため、化粧板１の裏面（図１中における下側の面）を平坦な面とすることが可能となり、化粧板１の裏面の外観が悪化することを抑制することが可能となる。
【００３３】
さらに、凹凸部１４を有する第一基板構成部材６と、第二基板構成部材８及び第三基板構成部材１０に積層して基板２を形成しているため、基板が薄い構成の化粧板と同様の凹凸部を形成することが可能となる。これに加え、ＮＣ（Ｎｕｍｅｒｉｃａｌ  Ｃｏｎｔｒｏｌ）ルーター等の工具を用いて凹凸部１４を形成する場合と比較して、短い時間で、凹凸部１４を第一基板構成部材６に形成することが可能となる。
【００３４】
（２）基板２が、第三基板構成部材１０の裏面に貼り付けられ、且つ防湿性を有する防湿シート１２を備える。
その結果、防湿シート１２側から基板２側に水蒸気が通過することを防止することが可能となるため、水蒸気による基板２の伸縮を防止することが可能となり、基板２の反りや、膨張による変形を防止することが可能となる。
【００３５】
（３）防湿シート１２が、二枚の紙基材と、二枚の紙基材の間に配置された層状の防湿樹脂素材を備える。
その結果、防湿シート１２に厚みとコシとを持たせることが可能となり、防湿シート１２がシワになり難く、また、防湿シート１２に発生するカールを抑制することが可能となるため、基板２へ、防湿シート１２を比較的容易に貼り付けることが可能となる。
【００３６】
（４）第一基板構成部材６の最大厚さＴ１と、第三基板構成部材１０の厚さＴ３が等しい。
その結果、第一基板構成部材６と第三基板構成部材１０を、同じ構成とすることが可能となり、化粧板１の製造コストを低減することが可能となる。
また、第一実施形態の化粧板１の製造方法であれば、以下に記載する効果を奏することが可能となる。
【００３７】
（５）プレス加工で形成した凹凸部１４を表面に有する第一基板構成部材６と、表面が第一基板構成部材６の裏面と対向する第三基板構成部材１０により、第一基板構成部材６及び第三基板構成部材１０よりも厚さが大きい第二基板構成部材８を挟んでプレス加工して形成した基板２に、化粧シート４を三次元真空成型で貼り合わせて化粧板１を製造する。
その結果、化粧板１の基板２が、木口を形成する面の装飾が必要な厚さの厚物基板であっても、化粧板１の木口を形成する面に化粧シート４を貼り付けて装飾することが可能な、化粧板１を提供することが可能となる。
【００３８】
また、厚さが大きい第二基板構成部材８を、第一基板構成部材６と第三基板構成部材１０で挟んで基板２を形成しているため、化粧板１の基板２が、木口を形成する面の装飾が必要な厚さの厚物基板であっても、化粧板１に発生する反りを抑制することが可能となる。これに加え、基板２の裏面（図１中における下側の面）を平坦な面とすることが可能となるため、化粧板１の裏面（図１中における下側の面）を平坦な面とすることが可能となり、化粧板１の裏面の外観が悪化することを抑制することが可能となる。
【００３９】
さらに、凹凸部１４を有する第一基板構成部材６と、第二基板構成部材８及び第三基板構成部材１０に積層して基板２を形成しているため、基板が薄い構成の化粧板と同様の凹凸部を形成することが可能となる。これに加え、ＮＣルーター等の工具を用いて凹凸部１４を形成する場合と比較して、短い時間で、凹凸部１４を第一基板構成部材６に形成することが可能となる。
【００４０】
（６）第三基板構成部材１０の裏面に、防湿性を有する防湿シート１２を貼り合わせた後に、第一基板構成部材６と第三基板構成部材１０とにより第二基板構成部材８を挟んでプレス加工して、基板２を形成する。
その結果、防湿シート１２側から基板２側に水蒸気が通過することを防止することが可能となるため、水蒸気による基板２の伸縮を防止することが可能となり、基板２の反りや、膨張による変形を防止することが可能となる。
【００４１】
（７）二枚の紙基材の間に層状の防湿樹脂素材を配置して、防湿シート１２を形成する。
その結果、防湿シート１２に厚みとコシとを持たせることが可能となり、防湿シート１２がシワになり難く、また、防湿シート１２に発生するカールを抑制することが可能となるため、基板２へ、防湿シート１２を比較的容易に貼り付けることが可能となる。
【００４２】
（変形例）
（１）第一実施形態では、防湿シート１２を、シート状の部材、すなわち、フィルムによって形成する例を示したが、防湿シート１２の構成は、これに限定するものではない。すなわち、例えば、第三基板構成部材１０の、第二基板構成部材８と対向する面と反対側の面に、防湿樹脂を塗工し、塗工した防湿樹脂の塗膜（コーティング）によって、防湿シート１２を形成してもよい。また、例えば、第三基板構成部材１０の、第二基板構成部材８と対向する面と反対側の面に形成した蒸着フィルム（例えば、ＶＭフィルム）によって、防湿シート１２を形成してもよい。
【符号の説明】
【００４３】
１…化粧板、２…基板、４…化粧シート、６…第一基板構成部材、８…第二基板構成部材、１０…第三基板構成部材、１２…防湿シート、１４…凹凸部、１４ａ…凹部、１４ｂ…凸部、１６…プレス型、Ｔ１…第一基板構成部材６の最大厚さ、Ｔ２…第二基板構成部材８の厚さ、Ｔ３…第三基板構成部材１０の厚さ、
【図１】
2017164941.tif 000003
【図２】
2017164941.tif 000004